(57)【要約】【課題】キッチン以外の居住空間も含めた屋内の空気質の改善を図るためのレンジフードを含む換気システムを提供する。【解決手段】換気システム１００Ａは、屋内に設置されるレンジフード１０と、屋内に設置され、屋内の空気質条件を設定可能な空気質関連機器８０と、レンジフードと空気質関連機器の運転を制御する制御部２０と、屋内の空気質を検知する検知部３０と、屋外の空気質情報を取得する情報取得部４０と、を備え、制御部は、空気質関連機器の始動を制御する際、検知部が検知した空気質における屋内空気質状態と情報取得部が取得した空気質情報における屋外空気質状態とを比較し、屋内の空気質を空気質関連機器に設定された空気質条件に近づけるようにレンジフードの事前換気を行う。【選択図】図８
2020118420.tif 000002
【特許請求の範囲】
【請求項１】
屋内に設置されるレンジフードと、
前記レンジフードの運転を制御する制御部と、
前記屋内の空気質を検知する検知部と、
屋外の空気質情報を取得する情報取得部と、
を備え、
前記制御部は、前記検知部が検知した空気質における屋内空気質状態と前記情報取得部が取得した空気質情報における屋外空気質状態とを比較し、前記屋内の空気質を所定の空気質条件に近づけるように前記レンジフードの運転を制御する、
換気システム。
【請求項２】
前記所定の空気質条件は、予め設定されていることを特徴とする請求項１に記載の換気システム。
【請求項３】
前記所定の空気質条件は、任意に設定可能であることを特徴とする請求項１または２に記載の換気システム。
【請求項４】
使用者からの評価を受け付ける入力部と、
前記入力部が受け付けた評価、前記所定の空気質条件、前記検知部が検知した空気質における屋内空気質状態、および、前記情報取得部が取得した空気質情報における屋外空気質状態に基づき、前記所定の空気質条件を学習する学習部と、
をさらに備え、
前記制御部は、前記学習部の学習結果に基づき前記所定の空気質条件を変更することを特徴とする請求項１乃至３のいずれかに記載の換気システム。
【請求項５】
屋内に設置されるレンジフードと、
前記屋内に設置され、前記屋内の空気質条件を設定可能な空気質関連機器と、
前記レンジフードと前記空気質関連機器の運転を制御する制御部と、
前記屋内の空気質を検知する検知部と、
屋外の空気質情報を取得する情報取得部と、
を備え、
前記制御部は、前記空気質関連機器の始動を制御する際、前記検知部が検知した空気質における屋内空気質状態と前記情報取得部が取得した空気質情報における屋外空気質状態とを比較し、前記屋内の空気質を前記空気質関連機器に設定された空気質条件に近づけるように前記レンジフードの事前換気を行う、
換気システム。
【請求項６】
前記制御部は、前記空気質関連機器に設定された空気質条件が、屋内空気質状態と屋外空気質状態の間にある場合、前記屋内の空気質が前記空気質関連機器に設定された空気質条件に近づいた時に前記事前換気を終了し、
前記空気質関連機器に設定された空気質条件が、屋内空気質状態と屋外空気質状態の間にない場合、前記屋内の空気質が屋外空気質状態に近づいた時に前記事前換気を終了することを特徴とする請求項５に記載の換気システム。
【請求項７】
前記空気質関連機器は、空調機器であり、
前記検知部が検知する前記屋内の空気質は、屋内の温度であり、
前記情報取得部が取得した空気質情報は、屋外の温度であり、
前記空調機器に設定された空気質条件は、設定温度であり、
前記制御部は、前記空調機器に設定された設定温度が、屋内の温度と屋外の温度の間にある場合、屋内の温度が前記空調機器に設定された設定温度に近づいた時に前記事前換気を終了し、
前記空調機器に設定された設定温度が、屋内の温度と屋外の温度の間にない場合、屋内の温度が屋外の温度に近づいた時に前記事前換気を終了することを特徴とする請求項６に記載の換気システム。
【請求項８】
前記空気質関連機器は、加湿器または除湿器であり、
前記検知部が検知する前記屋内の空気質は、屋内の湿度であり、
前記情報取得部が取得した空気質情報は、屋外の湿度であり、
前記加湿器または除湿器に設定された空気質条件は、設定湿度であり、
前記制御部は、前記加湿器または除湿器に設定された設定湿度が、屋内の湿度と屋外の湿度の間にある場合、屋内の湿度が前記加湿器または除湿器に設定された設定湿度に近づいた時に前記事前換気を終了し、
前記加湿器または除湿器に設定された設定湿度が、屋内の湿度と屋外の湿度の間にない場合、屋内の湿度が屋外の湿度に近づいた時に前記事前換気を終了することを特徴とする請求項６に記載の換気システム。
【請求項９】
前記空気質関連機器は、温度設定可能な暖房機であり、
前記検知部が検知する前記屋内の空気質は、屋内の温度であり、
前記情報取得部が取得した空気質情報は、屋外の温度であり、
前記暖房機に設定された空気質条件は、設定温度であり、
前記制御部は、前記暖房機に設定された設定温度が、屋内の温度と屋外の温度の間にある場合、屋内の温度が前記暖房機に設定された設定温度に近づいた時に前記事前換気を終了し、
前記暖房機に設定された設定温度が、屋内の温度と屋外の温度の間にない場合、屋内の温度が屋外の温度に近づいた時に前記事前換気を終了することを特徴とする請求項６に記載の換気システム。
【請求項１０】
屋内に設置されるレンジフードと、
前記屋内に設置される空気質関連機器と、
前記レンジフードと前記空気質関連機器の運転を制御する制御部と、
前記屋内の空気質を検知する検知部と、
屋外の空気質情報を取得する情報取得部と、
を備え、
前記制御部は、前記空気質関連機器の始動を制御する際、前記検知部が検知した空気質における屋内空気質状態と前記情報取得部が取得した空気質情報における屋外空気質状態とを比較し、前記屋内の空気質を所定の空気質条件に近づけるように前記レンジフードの事前換気を行う、
換気システム。
【請求項１１】
前記空気質関連機器は、空気清浄機であり、
前記検知部が検知する前記屋内の空気質は、屋内の埃または臭いであり、
前記情報取得部が取得した空気質情報は、屋外の埃または臭いであり、
前記制御部は、前記検知部が検知した屋内の埃または臭いの濃度と前記情報取得部が取得した空気質情報における埃または臭いの濃度とを比較し、所定の埃または臭いの濃度に近づけるように前記レンジフードの事前換気を行うことを特徴とする請求項１０に記載の換気システム。
【請求項１２】
前記空気質関連機器は、温度設定可能ではない暖房機であり、
前記検知部が検知する前記屋内の空気質は、屋内の温度であり、
前記情報取得部が取得した空気質情報は、屋外の温度であり、
前記制御部は、前記検知部が検知した屋内の温度と前記情報取得部が取得した空気質情報における屋外の温度とを比較し、所定の温度に近づけるように前記レンジフードの事前換気を行うことを特徴とする請求項１０に記載の換気システム。
【請求項１３】
前記レンジフードが設置された部屋以外に屋外と通ずるように設置され、前記制御部が開閉可能な給気口をさらに備え、
前記制御部は、前記レンジフードの運転の開始を制御する際に前記給気口を開制御することを特徴とする請求項１乃至１２のいずれかに記載の換気システム。
【請求項１４】
前記制御部は、前記レンジフードが調理運転状態にない場合にのみ前記所定の空気質条件または前記空気質関連機器に設定された空気質条件に近づけるように前記レンジフードの運転を制御することを特徴とする請求項１乃至１３のいずれかに記載の換気システム。
【発明の詳細な説明】
【技術分野】
【０００１】
本発明は、換気システムに関する。
【背景技術】
【０００２】
従来から、建物や部屋の内外の空気質に基づき、建物等の内の空気質の改善を図る技術が提案されている。たとえば、特許文献１は、自動的に換気扇を運転することを目的とした換気扇の運転方法を開示する。この換気扇の運転方法では、屋外に設置して外気温を測定する温度センサと、室内に設置し室温を測定する温度センサと、換気扇とを有し、これらの２つの温度センサの検知温度信号により換気扇を運転制御する。
【０００３】
また、特許文献２は、換気負荷の増加や換気量増加に伴う消費電力の増加を抑える換気システムを開示する。この換気システムは、排気ファンと、室内温度検知手段と、屋外温度検知手段と、換気制御手段と、を複数備える。換気制御手段は、各居室の室内温度と屋外温度をもとに内外温度差を算出し、内外温度差が最小となる居室から優先的に排気ファンに運転指示を出す。
【０００４】
また、特許文献３は、室内に空気汚染物質が発生したか否かを判断して、発生した際にはその部屋の排気量を増やし他室の給気量を増やすことで、効率的に空気質を改善する換気システムを開示する。この換気システムは、室外より取り入れた空気を室内空間に供給して、室内空間の換気を行う。当該換気システムは、外気の物性値を測定する屋外空質測定手段と、室内空気の物性値を測定する室内空質測定手段を備え、空質検知手段により空気汚染物質が発生したと判断されたとき、該当する部屋の排気量を過多にし、他室の給気量を過多にする給気排気バランス調整モードを備える。
【０００５】
また、特許文献４は、換気により室内の空気質が改善される場合に換気を行い、換気により室内の空気質が低下する可能性がある場合に換気を行わずに室内の空気質を改善する環境管理装置を開示する。この環境管理装置は、室内と室外との間で換気を行うことにより室内の空気質を改善する換気設備と、換気を伴わずに室内の空気質を改善する空気清浄機および空調設備との動作状態を制御する。当該環境管理装置は、空気質取得部と指示部と管理処理部と評価部とを備える。空気質取得部は、室内と室外との空気質の計測データを空気質センサから取得する。管理処理部は、評価部が室内の空気質を不良と評価している期間に、室外の空気質が室内の空気質よりも良好であれば換気設備を動作させ、室外の空気質よりも室内の空気質が良好であれば空気清浄機と空調設備との少なくとも一方を動作させる。
【０００６】
また、特許文献５は、室内空間の在室者にとって快適である空気環境を達成できるようにする空気環境調整システムを開示する、この空気環境調整システムは、制御装置と、調整装置と、計測装置と、評価装置と、を備える。調整装置は、室内空間について空気質を含む空気環境を調整する。計測装置は、室内空間の空気環境を計測する。評価装置は、室内空間の空気環境に関して在室者が評価した快適性の程度を反映する感覚情報を出力する。制御装置は、計測装置が計測した空気環境に関する計測情報から導出される基準情報を感覚情報で補正することにより、調整装置を制御する制御情報を生成する。
【先行技術文献】
【特許文献】
【０００７】
【特許文献１】特開平０２−２６７４３９号公報
【特許文献２】特開２００４−３０１３４９号公報
【特許文献３】特開２０１６−１３８７０５号公報
【特許文献４】特開２０１４−１４２１６４号公報
【特許文献５】国際公開番号ＷＯ２０１４／１６７８３６号公報
【発明の概要】
【発明が解決しようとする課題】
【０００８】
一般に、レンジフードは、キッチンに設置される調理器具（コンロ等）の近傍に設置され、調理から発生する油煙などの物質を大きな排気風量により捕集し、屋外へ排出するために使用される。レンジフードが大排気風量でキッチン内の空気を屋外へ排出するとき屋内は負圧となるため、建物の開口部（たとえば、リビングルームの開放された窓や壁に設けられた給気口など）から外気が屋内に取り入れられる。そうすると、屋外の空気が屋内の空気と入れ替わり混入することにより、屋内の空気質は徐々に屋外の空気質に近づくことになる。その際、従来技術においては単に屋外の空気を取り入れて屋内の空気質の改善を図るものが多いが、そこに暮らす人にとって望ましい空気質に近づけるように制御することが求められる。
【０００９】
そこで、本発明は、一般住宅に設置される排気ファンの中では最大の排気風量を有するレンジフードの新しい利用方法を提案するものであり、キッチン以外の居住空間も含めた屋内の空気質の改善を図るためのレンジフードを含む換気システムを提供する。
【課題を解決するための手段】
【００１０】
上記課題を解決するために、屋内に設置されるレンジフードと、レンジフードの運転を制御する制御部と、屋内の空気質を検知する検知部と、屋外の空気質情報を取得する情報取得部と、を備え、制御部は、検知部が検知した空気質における屋内空気質状態と情報取得部が取得した空気質情報における屋外空気質状態とを比較し、屋内の空気質を所定の空気質条件に近づけるようにレンジフードの運転を制御する換気システムが提供される。
これによれば、屋内空気質状態と屋外空気質状態とを比較し、屋内の空気質を所定の空気質条件に近づけるようにレンジフードの運転を制御することで、キッチン以外の居住空間も含めた屋内の空気質の改善を図る換気システムを提供することができる。
【００１１】
さらに、所定の空気質条件は、予め設定されていることを特徴としてもよい。
これによれば、所定の空気質条件が予め設定されていることで使用開始時から屋内の空気質の改善を図ることができる。
【００１２】
さらに、所定の空気質条件は、任意に設定可能であることを特徴としてもよい。
これによれば、所定の空気質条件が任意に設定可能であることで使用者にとって望ましい空気質に近づけるように制御することができる。
【００１３】
さらに、使用者からの評価を受け付ける入力部と、入力部が受け付けた評価、所定の空気質条件、検知部が検知した空気質における屋内空気質状態、および、情報取得部が取得した空気質情報における屋外空気質状態に基づき、所定の空気質条件を学習する学習部と、をさらに備え、制御部は、学習部の学習結果に基づき所定の空気質条件を変更することを特徴としてもよい。
これによれば、空気質の改善を行ったときの、空気質条件、使用者による評価、屋内空気質状態、および屋外空気質状態に基づき、使用者にとっての好ましい所定の空気質条件を学習し、変更することで、使用者にとって望ましい空気質に近づけ屋内の空気質を改善してゆくことができる。
【００１４】
上記課題を解決するために、屋内に設置されるレンジフードと、屋内に設置され、屋内の空気質条件を設定可能な空気質関連機器と、レンジフードと空気質関連機器の運転を制御する制御部と、屋内の空気質を検知する検知部と、屋外の空気質情報を取得する情報取得部と、を備え、制御部は、空気質関連機器の始動を制御する際、検知部が検知した空気質における屋内空気質状態と情報取得部が取得した空気質情報における屋外空気質状態とを比較し、屋内の空気質を空気質関連機器に設定された空気質条件に近づけるようにレンジフードの事前換気を行う換気システムが提供される。
これによれば、空気質関連機器の始動を制御する際、屋内空気質状態と屋外空気質状態とを比較し、望ましい空気質として空気質関連機器に設定された空気質条件に近づけるようにレンジフードの事前換気を行うことで、使用者にとって望ましい空気質に近づけて屋内の空気質の改善を図る換気システムを提供することができる。
【００１５】
さらに、制御部は、空気質関連機器に設定された空気質条件が、屋内空気質状態と屋外空気質状態の間にある場合、屋内の空気質が空気質関連機器に設定された空気質条件に近づいた時に事前換気を終了し、空気質関連機器に設定された空気質条件が、屋内空気質状態と屋外空気質状態の間にない場合、屋内の空気質が屋外空気質状態に近づいた時に事前換気を終了することを特徴としてもよい。
これによれば、望ましい空気質として空気質関連機器に設定された空気質条件における空気質状態が、屋内空気質状態と屋外空気質状態の間にある場合は屋内の空気質が設定空気質条件に近づいた時に事前換気を終了し、屋内空気質状態と屋外空気質状態の間にない場合は屋内の空気質が屋外空気質状態に近づいた時に事前換気を終了することで、使用者にとって望ましい空気質に近づけて屋内の空気質の改善を図ると共に、エネルギー効率の良い空気質の改善を行うことができる。
【００１６】
さらに、空気質関連機器は、空調機器であり、検知部が検知する屋内の空気質は、屋内の温度であり、情報取得部が取得した空気質情報は、屋外の温度であり、空調機器に設定された空気質条件は、設定温度であり、制御部は、空調機器に設定された設定温度が、屋内の温度と屋外の温度の間にある場合、屋内の温度が空調機器に設定された設定温度に近づいた時に事前換気を終了し、空調機器に設定された設定温度が、屋内の温度と屋外の温度の間にない場合、屋内の温度が屋外の温度に近づいた時に事前換気を終了することを特徴としてもよい。
これによれば、レンジフードと空調機器が連動し、空調機器の始動を制御する際空調機器の設定温度に近づけるようにレンジフードの事前換気を行い、設定温度が屋内の温度と屋外の温度の間にある場合は屋内温度が設定温度に近づいた時に事前換気を終了し、屋内温度と屋外温度の間にない場合は屋内温度が屋外温度に近づいた時に事前換気を終了することで、使用者にとって望ましい屋内温度に近づけて室温の改善を図ると共に、エネルギー効率の良い空気調節を行うことができる。
【００１７】
さらに、空気質関連機器は、加湿器または除湿器であり、検知部が検知する屋内の空気質は、屋内の湿度であり、情報取得部が取得した空気質情報は、屋外の湿度であり、加湿器または除湿器に設定された空気質条件は、設定湿度であり、制御部は、加湿器または除湿器に設定された設定湿度が、屋内の湿度と屋外の湿度の間にある場合、屋内の湿度が加湿器または除湿器に設定された設定湿度に近づいた時に前記事前換気を終了し、加湿器または除湿器に設定された設定湿度が、屋内の湿度と屋外の湿度の間にない場合、屋内の湿度が屋外の湿度に近づいた時に事前換気を終了することを特徴としてもよい。
これによれば、レンジフードと加湿器または除湿器が連動し、加湿器または除湿器の始動を制御する際加湿器または除湿器の設定湿度に近づけるようにレンジフードの事前換気を行い、設定湿度が屋内の湿度と屋外の湿度の間にある場合は屋内湿度が設定湿度に近づいた時に事前換気を終了し、屋内湿度と屋外湿度の間にない場合は屋内湿度が屋外湿度に近づいた時に事前換気を終了することで、使用者にとって望ましい屋内湿度に近づけて屋内の湿度の改善を図ると共に、エネルギー効率の良い加湿または除湿を行うことができる。
【００１８】
さらに、空気質関連機器は、温度設定可能な暖房機であり、検知部が検知する屋内の空気質は、屋内の温度であり、情報取得部が取得した空気質情報は、屋外の温度であり、暖房機に設定された空気質条件は、設定温度であり、制御部は、暖房機に設定された設定温度が、屋内の温度と屋外の温度の間にある場合、屋内の温度が暖房機に設定された設定温度に近づいた時に事前換気を終了し、暖房機に設定された設定温度が、屋内の温度と屋外の温度の間にない場合、屋内の温度が屋外の温度に近づいた時に事前換気を終了することを特徴としてもよい。
これによれば、レンジフードと暖房機が連動し、暖房機の始動を制御する際暖房機の設定温度に近づけるようにレンジフードの事前換気を行い、設定温度が屋内の温度と屋外の温度の間にある場合は屋内温度が設定温度に近づいた時に事前換気を終了し、屋内温度と屋外温度の間にない場合は屋内温度が屋外温度に近づいた時に事前換気を終了することで、使用者にとって望ましい屋内温度に近づけて室温の改善を図ると共に、エネルギー効率の良い空気調節を行うことができる。
【００１９】
上記課題を解決するために、屋内に設置されるレンジフードと、屋内に設置される空気質関連機器と、レンジフードと空気質関連機器の運転を制御する制御部と、屋内の空気質を検知する検知部と、屋外の空気質情報を取得する情報取得部と、を備え、制御部は、空気質関連機器の始動を制御する際、検知部が検知した空気質における屋内空気質状態と情報取得部が取得した空気質情報における屋外空気質状態とを比較し、屋内の空気質を所定の空気質条件に近づけるようにレンジフードの事前換気を行う換気システムが提供される。
これによれば、空気質関連機器の始動を制御する際屋内空気質状態と屋外空気質状態とを比較し、屋内の空気質を所定の空気質条件に近づけるようにレンジフードの事前換気を行うようにすることで、エネルギー効率の良い屋内の空気質の改善を図る換気システムを提供することができる。
【００２０】
さらに、空気質関連機器は、空気清浄機であり、検知部が検知する屋内の空気質は、屋内の埃または臭いであり、情報取得部が取得した空気質情報は、屋外の埃または臭いであり、制御部は、検知部が検知した屋内の埃または臭いの濃度と情報取得部が取得した空気質情報における埃または臭いの濃度とを比較し、所定の埃または臭いの濃度に近づけるようにレンジフードの事前換気を行うことを特徴としてもよい。
これによれば、レンジフードと空気清浄機が連動し、空気清浄機の始動を制御する際屋内の埃または臭いの濃度と屋外の埃または臭いの濃度とを比較し、所定の埃または臭いの濃度に近づけるようにレンジフードの事前換気を行うことで、エネルギー効率の良い屋内の埃または臭いの濃度を改善することができる。
【００２１】
さらに、空気質関連機器は、温度設定可能ではない暖房機であり、検知部が検知する前記屋内の空気質は、屋内の温度であり、情報取得部が取得した空気質情報は、屋外の温度であり、制御部は、検知部が検知した屋内の温度と情報取得部が取得した空気質情報における屋外の温度とを比較し、所定の温度に近づけるようにレンジフードの事前換気を行うことを特徴としてもよい。
これによれば、レンジフードと暖房機が連動し、暖房機の始動を制御する際屋内の温度と屋外の温度を比較し、屋内の温度を所定の温度に近づけるようにレンジフードの事前換気を行うことで、エネルギー効率の良い屋内の温度を改善することができる。
【００２２】
さらに、レンジフードが設置された部屋以外に屋外と通ずるように設置され、制御部が開閉可能な給気口をさらに備え、制御部は、レンジフードの運転の開始を制御する際に給気口を開制御することを特徴としてもよい。
これによれば、レンジフードが運転状態になり屋内が負圧となるときにキッチン以外の部屋の給気口から屋外の空気を取り入れることで、キッチンだけではなく広い屋内空間の空気質を改善することができる。
【００２３】
さらに、制御部は、レンジフードが調理運転状態にない場合にのみ所定の空気質条件または空気質関連機器に設定された空気質条件に近づけるようにレンジフードの運転を制御することを特徴としてもよい。
これによれば、レンジフードが運転状態にない場合にのみ上記したような空気質改善を行うことで、調理から発生する油煙等を適格に捕集するというレンジフード本来の機能を果たすことができる。
【発明の効果】
【００２４】
以上説明したように、本発明によれば、一般住宅に設置される排気ファンの中では最大の排気風量を有するレンジフードの新しい利用方法を提案するものであり、キッチン以外の居住空間も含めた屋内の空気質の改善を図るためのレンジフードを含む換気システムを提供することができる。
【図面の簡単な説明】
【００２５】
【図１】本発明に係る第一実施例および第二実施例の換気システムが建物に設置された場合を示す図。
【図２】本発明に係る第一実施例の換気システムのブロック構成図。
【図３】本発明に係る第一実施例の換気システムにおける制御フローを示すフローチャート。
【図４】本発明に係る第一実施例および第二実施例の換気システムにおける比較判定処理を示すフローチャート。
【図５】本発明に係る第一実施例の換気システムにおけるＲＨ制御処理のパターンを示す図。
【図６】本発明に係る第一実施例の換気システムにおける学習処理を示すフローチャート。
【図７】本発明に係る第一実施例の換気システムにおける評価画面の例を示す図。
【図８】本発明に係る第二実施例の換気システムのブロック構成図。
【図９】本発明に係る第二実施例の換気システムにおける制御フローを示すフローチャート。
【図１０】本発明に係る第二実施例の換気システムにおける事前換気処理のパターン（設定空気質条件が屋内空気質状態と屋外空気質状態の間にある場合）を示す図。
【図１１】本発明に係る第二実施例の換気システムにおける事前換気処理のパターン（設定空気質条件が屋内空気質状態と屋外空気質状態の間にない場合）を示す図。
【図１２】本発明に係る第二実施例の換気システムにおける事前換気終了処理を示すフローチャート。
【図１３】不快指数を示す参考図
【図１４】熱中症危険度を示す参考図
【発明を実施するための形態】
【００２６】
以下では、図面を参照しながら、本発明に係る各実施例について説明する。
＜第一実施例＞
図１乃至図５を参照し、本実施例における換気システム１００を説明する。換気システム１００は、建物ＨＳ（本実施例では住宅）の屋内に設置されるレンジフード１０を、屋内の空気質を所定の空気質条件に近づけるために機能させるものである。レンジフード１０は、キッチンに設置されるコンロＢＮの上方に設けられ、コンロＢＮで調理される際に発生する油煙等を含む空気を吸引し屋外に排出することにより、油煙等が屋内に拡散することを防止する。換気システム１００におけるレンジフード１０は、このような通常のレンジフードとしての機能を有すると共に、この通常の機能に加えて以下に述べるように、屋内の空気質を所定の空気質条件に近づけるために機能する。
【００２７】
なお、本明細書における空気質とは、空気を構成する物質（たとえば、酸素、一酸化炭素、二酸化炭素など）、空気に含まれる物質（たとえば、水分、油分、塵埃、におい物質などが微粒子状或いはガス状となったもの）、空気の運動エネルギーを示す指標（温度）などを言い、人間が感じ得るまたは影響を受け得る空気の質を示す概念である。空気質は、一般的には、温度、湿度、一酸化炭素濃度、汚染物質濃度などとして、それぞれの空気質に対応した検知器（センサ）を用いて測定される。また、空気質は、検知器で測定された１次情報だけでなく、たとえば温度と湿度から求められる不快指数（図１３に示す）や熱中症危険度（図１４に示す）などの２次情報をも含む広い概念であってもよい。
【００２８】
換気システム１００は、建物ＨＳの屋内に設置されるレンジフード１０と、レンジフード１０の運転を制御する制御部２０と、屋内の空気質を検知する屋内検知部３０と、屋外の空気質情報を取得する屋外検知部４０（情報取得部４０）と、を備える。レンジフード１０は、上述したように、コンロＢＮの上方に設けられ、調理により発生する油煙等を捕集するためにこれらを含む空気を吸引し屋外に排出する。レンジフード１０は、そもそも油煙等を的確に捕集し屋内に拡散させないために大きな排気風量で排気する能力を有する。一般的に住宅には常時換気システムのように屋内の空気を換気するための装置が設けられることがあるが、レンジフード１０は、そのような常時換気システムと比較しても、明らかに大きな排気風量で排気する能力を有する。レンジフード１０は、自身の運転を制御するためのＲＨ制御部１１と後述するコントローラ２０（制御部２０）と通信を行うためのＲＨ通信部１２を備える。
【００２９】
換気システム１００は、一般住宅に設置される排気ファンの中では最大の排気風量を有するレンジフード１０の新しい利用方法を提案するものである。大排気風量の能力を有するレンジフード１０が空気を屋外へ排出するとき屋内は負圧となるため、建物ＨＳの開口部（たとえば給気口７０や開放された窓ＷＮ）から外気が屋内に取り入れられる。そうすると、屋外の空気が屋内の空気と入れ替わり混入することにより、屋内の空気質は徐々に屋外の空気質に近づくことになる。換気システム１００は、この現象を利用した、キッチン以外の居住空間も含めた屋内の空気質の改善を図るためのレンジフード１０を含む換気システムである。
【００３０】
屋内検知部３０は、屋内の空気に関して上述したような空気質を検知する検知器（センサ）である。たとえば、図２においては、屋内検知部３０は、温湿度センサ３１、埃センサ３２、臭気センサ３３を備える。もちろん、これに限定されず、他に様々な空気質を検知する装置（たとえば一酸化炭素濃度センサなど）を備えてもよい。屋内検知部３０は、それぞれの空気質を検知するための公知の方法により検知する。屋内検知部３０は、図１では食卓ＴＢが置かれたダイニングに１つ設置されているが、これに限定されず、テレビセットＴＶが置かれたリビングにも設置されてもよいし、２階の寝室（図示せず）に設置されてもよい。
【００３１】
屋内検知部３０がレンジフード１０の近傍であるダイニングに設置された場合、レンジフード１０から遠い場所の開口部（たとえばリビングの窓ＷＮ）から屋内に流入し、屋内の空気と入れ替わった屋外の空気の空気質を検知する。すなわち、レンジフード１０近傍の設置された屋内検知部３０は、屋内全体の空気質の改善を目指した場合、この１つのみで屋内全体の空気質が改善したことを検知できる。また、屋内検知部３０をリビングにも設置した場合、まずリビングに設置された屋内検知部３０が窓ＷＮから流入した空気質を検知する。その段階では、ダイニングに設置された屋内検知部３０は、ダイニングやリビングにあったレンジフード１０の方へ流れる屋内の空気の空気質を検知する。しかし、ダイニングに設置された屋内検知部３０もやがて窓ＷＮから流入した空気質を検知する。このように、２つ以上の屋内検知部３０を屋内に設置すると、屋外の空気が屋内の空気と入れ替わり混入することにより、屋内の空気質が徐々に屋外の空気質に近づく状況を検知することができる。
【００３２】
屋外検知部４０は、屋外の空気に関して上述したような空気質を検知する検知器（センサ）であり、典型的には、空調機器の室外機や建物ＨＳの外壁などに設置される。また、屋外の空気質は、建物ＨＳが位置する地域で検知するものと大差ないので、屋外検知部４０は、それぞれの建物に設置されるものではなく、その地域の空気質情報（たとえば気象情報など）を取得するものであってもよい。たとえば、換気システム１００は、インターネットに接続できる通信部２３を備え、その地域の空気質情報を取得する。このように、屋外の空気質情報を取得するための情報取得部４０とは、建物ＨＳに設置され空気質を検知する屋外検知部４０と、建物ＨＳが位置する地域の空気質情報を取得するための通信部２３とを含むものである。
【００３３】
コントローラ２０（制御部）は、屋内検知部３０および屋外検知部４０（情報取得部４０）が得た空気質情報に基づきレンジフード１０の運転を制御する。コントローラ２０は、図２に示すように、上述した通信部２３を有する。通信部２３は、上述したようにインターネットに接続する通信機能だけでなく、レンジフード１０のＲＨ通信部１２と通信をする機能、屋内検知部３０や屋外検知部４０から空気質情報を取得するための通信機能を有する。通信部２３におけるそれぞれの通信機能は、特に限定されず、公知の通信技術により適宜実行される。
【００３４】
コントローラ２０は、建物ＨＳに暮らす人（使用者）にとって望ましい空気質（所定の空気質条件）を設定し、また設定したその空気質を読み出す条件設定部２５と、屋内検知部３０が検知した空気質における屋内空気質状態と情報取得部４０が取得した空気質情報における屋外空気質状態を検出処理する検出処理部２９と、検出処理部２９が検出した屋内空気質状態と屋外空気質状態を比較する比較判定部２４と、レンジフード１０のＲＨ制御部１１と通信し運転を制御するＲＨ制御処理部２８と、使用者の評価を受けるための画面を出力する出力部２７と、出力部２７が出力した画面から評価を受け付ける評価入力部２１と、受け付けた評価に基づき学習する学習部２２と、コンロＢＮでの調理の状態を判定する調理判定部２６と、を備える。コントローラ２０は、様々な演算処理を行うマイクロプロセッサ、ＯＳ（Ｏｐｅｒａｔｉｎｇ Ｓｙｓｔｅｍ）等の制御プログラム・各種の処理手順等を規定したプログラム・所要データや所定の空気質条件などを格納するためのメモリ、通信部２３を構成するネットワークインターフェースなどが内部バス等を介して互いに接続されたものである。コントローラ２０を構成する機能は、これらのハードウェアと協働して実現される。
【００３５】
図３を参照し、換気システム１００におけるコントローラ２０の処理フローについて説明する。なお、フローチャートにおけるＳはステップを意味する。コントローラ２０は、Ｓ１００において、レンジフード１０が運転を開始するための作動信号を待っている。レンジフード１０が運転を開始するための作動信号は、レンジフード１０に対して使用者が操作を行うことでレンジフード１０のＲＨ制御部１１からＲＨ通信部１２と通信部２３を介してＲＨ制御処理部２８が受信してもよいし、逆に、使用者がコントローラ２０に対して操作を行ったり外部からの指令信号を受けたりすることでＲＨ制御処理部２８から通信部２３とＲＨ通信部１２を介してＲＨ制御部１１に伝達されてもよい。
【００３６】
当該作動信号がコントローラ２０に伝えられると、検出処理部２９は、Ｓ１０２において、屋内検知部３０が検知した空気質における屋内空気質状態を通信部２３を介して取得し、また、情報取得部４０（屋外検知部４０またはインターネットから空気質情報を得る通信部２３）が取得した空気質情報における屋外空気質状態（ＡＱ：Ａｉｒ  Ｑｕａｌｉｔｙ）を通信部２３を介して取得する検出処理を行う。
【００３７】
屋内空気質状態と屋外空気質状態を検出すると、条件設定部２５は、Ｓ１０４において、予め設定されメモリに格納されている望ましい空気質の条件を読み出す。なお、望ましい空気質条件（所定の空気質条件）が予め設定されていることで使用開始時から屋内の空気質の改善を図ることができる。予め設定されている空気質は、多くの人が快適な空気質と感じる標準的なものでよい。
【００３８】
屋内空気質状態、屋外空気質状態と所定の空気質条件を取得すると、コントローラ２０の比較判定部２４は、Ｓ２００において、屋内空気質状態と屋外空気質状態を比較する。図４と図５を参照し、比較判定部２４とＲＨ制御処理部２８の処理フローをより具体的に説明する。比較判定部２４は、Ｓ２０２において、上記Ｓ１０２で取得した屋内空気質と屋外空気質の状態から、比較対象となる屋内ＡＱ値と屋外ＡＱ値を取り出す。また、比較判定部２４は、Ｓ２０４において、上記Ｓ１０４で取得した設定されている望ましい空気質条件（所定の空気質条件）から設定ＡＱ値を取り出す。ここでは、屋内ＡＱ値、屋外ＡＱ値、設定ＡＱ値をそれぞれ屋内温度、屋外温度、設定された望ましい温度を例として以下説明する。
【００３９】
比較判定部２４は、Ｓ２０６において、設定ＡＱ値である設定温度が、屋内ＡＱ値である屋内温度と屋外ＡＱ値である屋外温度の間にあるか否か検査する。設定温度が屋内温度と屋外温度の間にある場合、コントローラ２０のＲＨ制御処理部２８は、Ｓ１０６において、屋内温度を設定温度に近づけるようにレンジフード１０の運転を制御する。たとえば、図５（Ａ）に示すように、屋外温度が２５℃、屋内温度が３５℃、設定温度が２７℃である場合、ＲＨ制御処理部２８は、温度の高い屋内の空気を排気し、温度の低い屋外の空気を給気口７０などから吸入することで、屋内の温度は徐々に屋外の温度に近づくことになる。レンジフード１０は、たとえば強中弱などと複数の風量で運転することが可能であり、ＲＨ制御処理部２８は、このような場合にはレンジフード１０を最も大きい風量で運転することが好ましい。
【００４０】
また、上述したように、換気システム１００は、レンジフード１０が設置された部屋以外に屋外と通ずるように設置され、コントローラ２０が開閉可能な給気口７０（換気レジスタ７０）を備え、コントローラ２０は、レンジフード１０の運転の開始を制御する際に給気口７０を開制御することが好ましい。このように、レンジフード１０が運転状態になり屋内が負圧となるときにキッチン以外の部屋の給気口７０から屋外の空気を取り入れることで、キッチンだけではなく広い屋内空間の空気質を改善することができる。なお、同時給排型レンジフード使用し、屋内が負圧となるときにレンジフードの機能により給気を行って屋外の空気を取り入れることで、空気質改善を行ってもよい
【００４１】
屋外温度が２５℃で屋内温度が３５℃という状況は、真夏の夜によく起こる。たとえば、昼間に非常に気温が高くなり日光が当たる部屋では、温室効果により屋内の温度は非常に高くなることがある。そして、夕方に夕立などで雨が降り、屋外の気温は下がったが、屋内の温度は窓などを締め切っている場合は熱が籠って屋内の温度はあまり下がらない。このような場合に、大きな排気風量を有するレンジフード１０により、屋内の熱気のある空気を排出し、屋外の比較的ひんやりした空気を取り入れることで、室内温度を３５℃から設定温度の２７℃に徐々に近づけることができる。そして、ＲＨ制御処理部２８は、設定温度に近づいた時、レンジフード１０の運転をやめてもよいし、排気風量を小さくして運転を継続してもよい。なお、設定温度に近づいた時とは、人間の体感に関する制御なので厳密なものでなくともよく、±１℃程度の範囲に収まることでよい。
【００４２】
また、図５（Ｂ）に示すように、屋外温度が２２℃、屋内温度が１５℃、設定温度が２１℃である場合、ＲＨ制御処理部２８は、温度の低い屋内の空気を排気し、温度の高い屋外の空気を給気口７０などから吸入することで、屋内の温度は徐々に屋外の温度に近づくことになる。屋外温度が２２℃で屋内温度が１５℃という状況は、春先の昼によく起こる。たとえば、晩は非常に気温が低くなり日光が当たらない部屋では昼になっても気温が低いままになることがある。そして、昼になって春の陽気で屋外が温かくなったが、日光が当たらないため部屋の気温は上がらない。このような場合に、大きな排気風量を有するレンジフード１０により、屋内の冷えた空気を排出し、屋外の比較的暖かい空気を取り入れることで、室内温度を１５℃から設定温度の２１℃に徐々に近づけることができる。そして、ＲＨ制御処理部２８は、設定温度に近づいた時、レンジフード１０の運転をやめてもよいし、排気風量を小さくして運転を継続してもよい。また、レンジフード１０の元の運転状態（事前換気する前のレンジフードの運転状態）に戻ることとしてもよい。
【００４３】
比較判定部２４は、Ｓ２０６で設定温度が屋内温度と屋外温度の間にあるか否か検査し設定温度が屋内温度と屋外温度の間にない場合、Ｓ２０８において、屋外温度が屋内温度と設定温度の間にあるか否か検査する。屋外温度が屋内温度と設定温度の間にある場合、ＲＨ制御処理部２８は、Ｓ１０６において、屋内温度を設定温度に近づけるようにレンジフード１０の運転を制御する。たとえば、図５（Ｃ）に示すように、屋外温度が２７℃、屋内温度が３５℃、設定温度が２５℃である場合、ＲＨ制御処理部２８は、温度の高い屋内の空気を排気し、温度の低い屋外の空気を給気口７０などから吸入することで、屋内の温度は徐々に屋外の温度に近づくことになる。
【００４４】
このような場合に、大きな排気風量を有するレンジフード１０により、屋内の熱気のある空気を排出し、屋外の比較的ひんやりした空気を取り入れることで、室内温度を３５℃から設定温度の２５℃に徐々に近づけることができる。そして、ＲＨ制御処理部２８は、屋外温度に近づいた時これ以上同様の運転を継続しても設定温度には近づかないので、レンジフード１０の運転をやめてもよいし、排気風量を小さくして運転を継続してもよい。このように、屋内温度（屋内空気質状態）と屋外温度（屋外空気質状態）とを比較し、屋内温度（屋内の空気質）を設定温度（所定の空気質条件）に近づけるようにレンジフード１０の運転を制御することで、キッチン以外の居住空間も含めた屋内の空気質の改善を図る換気システム１００を提供することができる。
【００４５】
なお、コントローラ２０は、調理判定部２６がコンロＢＮで調理がなされていないと判定する場合にのみ、すなわちレンジフード１０が調理運転状態にない場合にのみ所定の空気質条件に近づけるようにレンジフード１０の運転を制御することとしてもよい。このように、レンジフード１０が運転状態にない場合にのみ上記したような空気質改善を行うことで、調理から発生する油煙等を適格に捕集するというレンジフード本来の機能を果たすことができる。
【００４６】
なお、比較判定部２４は、Ｓ２０８で屋外温度が屋内温度と設定温度の間にない場合、Ｓ２０２で屋内空気質と屋外空気質の状態から別の比較対象となる屋内ＡＱ値と屋外ＡＱ値（たとえば屋内湿度と屋外湿度）を取り出してもよい。また、同様に、比較判定部２４は、Ｓ２０４で設定されている望ましい空気質条件（所定の空気質条件）から別の設定ＡＱ値（たとえば設定湿度）を取り出してもよい。そして、その別の屋内ＡＱ値、屋外ＡＱ値、設定ＡＱ値に基づき、上述した処理（Ｓ２０６、Ｓ２０８、Ｓ１０６）を行ってもよい。これによれば、別の屋内空気質状態と屋外空気質状態とを比較し、屋内の空気質を所定の空気質条件に近づけるようにレンジフード１０の運転を制御することで、屋内の別の空気質の改善を図ることができる。
【００４７】
なお、上記では、比較判定部２４が、屋内ＡＱ値、屋外ＡＱ値、設定ＡＱ値をそれぞれ屋内温度、屋外温度、設定された望ましい温度として比較することを例として説明したが、これに限定されず、たとえば、温度の代わりに不快指数（図１３に示す）であってもよい。すなわち、比較判定部２４は、Ｓ２０４において、屋内ＡＱ値、屋外ＡＱ値、設定ＡＱ値をそれぞれ屋内不快指数、屋外不快指数、設定された望ましい不快指数を取り出して比較してもよい。たとえば、屋内不快指数が８５（たとえば屋内温度３４℃、屋内湿度６０％の場合）、屋外不快指数が７３（たとえば屋外温度２６℃、屋外湿度５０％の場合）、設定された望ましい不快指数が６５とした場合、コントローラ２０は、設定された望ましい不快指数６５に近づけるようにレンジフード１０の運転を制御する。
【００４８】
ＲＨ制御処理部２８によるＲＨ制御処理終了後、コントローラ２０の学習部２２は、Ｓ３００において、ＲＨ制御処理における設定された望ましい空気質の妥当性について学習する。図６と図７を参照し、より具体的に説明する。学習部２２は、Ｓ３０２において、屋内検知部３０が検知した空気質における屋内空気質状態（たとえば屋内ＡＱ値である温湿度センサ３１が検知した屋内温度）と、情報取得部４０が取得した空気質情報における屋外空気質状態（たとえば屋外ＡＱ値である屋外温度）を取得する。次いで、学習部２２は、Ｓ３０４において、レンジフード１０がどのように制御されたかを示す運転データを取得する。
【００４９】
次いで、出力部２７は、Ｓ３０６において、図７に示すような、レンジフード１０の運転について使用者の評価を受けるための画面を出力する。図７（Ａ）は、制御の基準になった空気質が温度であった場合に、「本日の部屋の温度はいかがでしたか？」と使用者に尋ねて、「１．暑かった」、「２．寒かった」、または「３．快適だった」の評価を受けるための画面である。この画面は、コントローラ２０に付属したディスプレイに表示してもよいし、通信部２３を介して使用者の携帯端末に表示してもよい。また、空気質が湿度であった場合には本図（Ｂ）のように、「本日の部屋の湿度はいかがでしたか？」と使用者に尋ねて、「１．高かった」、「２．低かった」、または「３．快適だった」の評価を受ける。また、空気質が塵埃や臭気であった場合には本図（Ｃ）のように、「本日の部屋の空気質はいかがでしたか？」と使用者に尋ねて、「１．臭かった」、「２．埃っぽかった」、または「３．快適だった」の評価を受ける。
【００５０】
使用者がこれらの画面に対して評価を入力すると、評価入力部２１は、Ｓ３０８において、その評価を受け付けて確認する。学習部２２は、Ｓ３１０において、受け付けた評価に基づき学習する。学習部２２における学習は、使用者にとって望ましい空気質を使用者が任意に設定した空気質から始めてもよい。このように、所定の空気質条件が使用者の好みに合うように任意に設定可能であることで使用者にとって望ましい空気質に近づけるように制御することができる。
【００５１】
学習部２２は、機械学習により学習させることにより、より望ましい空気質を設定できるようにしてもよい。望ましい空気質は、季節、天気、時刻などにより変化するものである。たとえば、真夏の屋内温度で２７℃は比較的涼しく快適に感じるし、真冬の屋内温度で２０℃も比較的暖かく快適に感じる。このように望ましい空気質は、時により変化する。学習部２２の学習方法は、このように変化する設定値を求めるものなので複雑であり、機械学習により学習させることが好ましい。この学習方法は、様々な機械学習手法を適用できるが、例えば機械学習アルゴリズムに深層学習（ディープラーニング）を適用してもよい。
【００５２】
学習部２２は、Ｓ３０２で取得した屋内空気質状態および屋外空気質状態と、Ｓ３０４で取得した運転データと、その時の所定の望ましい空気質条件とを入力データとし、その時の使用者の評価が如何なるものになるか（快適だったか否か）を出力データとした組み合わせの教師データを用いて、学習部２２の多層ニューラルネットワークの入力層と出力層の間の中間層において両者の関係性が成立するよう各ノードどうしを繋ぐ各リンクの重み係数を調整する。最初は、学習部２２から出力される使用者の評価は「快適だった」としても、それに対する使用者の評価が「暑かった」であった場合には、設定された望ましい温度（空気質）を少し低くするように調整される。逆に、学習部２２から出力される使用者の評価は「快適だった」としても、それに対する使用者の評価が「寒かった」であった場合には、設定された望ましい温度を少し高くするように調整される。
【００５３】
学習の結果、設定温度を変化させた方がよければ、条件設定部２５は、Ｓ３１２において、変化後の空気質条件を登録する。すなわち、コントローラ２０の条件設定部２５は、学習部２２の学習結果に基づき所定の望ましい空気質条件を変更してもよい。このように、使用者の評価の度に学習部２２の多層ニューラルネットワークを再学習させて、所定の望ましい空気質を学習していく。このように、空気質の改善の運転を行ったときの、望ましい空気質条件、使用者による評価、屋内空気質状態、および屋外空気質状態に基づき、使用者にとっての好ましい所定の空気質条件を学習し、設定される空気質条件を変更することで、使用者にとって望ましい空気質に近づけ屋内の空気質を改善してゆくことができる。
【００５４】
＜レンジフードの換気開口位置による換気効率について＞
レンジフード１０は、典型的には下記のように設置される。すなわち、屋内の空気を屋外へ導出するダクトが天井線付近にあり、ダクトを覆うように所定高さの幕板があり、幕板の下部開口付近にフードがあり、フードの下面に換気開口と整流板がある。このように、レンジフード１０の換気開口は、天井から所定距離（５００〜１０００ｍｍ）離れた位置に配置される。このような環境において、換気システム１００を作動させると、換気開口付近の空気が排出され、次に床付近の空気が排出される。天井付近には暖気がたまるがレンジフード１０は急速に空気の排出を行うため、床付近の空気と天井付近の空気が循環する。一方、換気扇のようにダクトと連結され天井付近に開口がある場合、天井付近の暖気は排出されるが、室内での空気の循環はおきにくい。したがって、レンジフード１０では、換気するための開口の場所が天井から所定距離（５００〜１０００ｍｍ）離れた位置にあることにより、熱籠り換気効率を高めている。
【００５５】
＜第二実施例＞
図１、図４、図８乃至図１２を参照し、本実施例における換気システム１００Ａを説明する。なお、重複記載を避けるために同じ要素には同じ符号を付し説明を省略し、上記実施例と異なる点を中心に説明する。図１に示すように、建物ＨＳの屋内には、上述した物以外に、リビングには空気質関連機器８０である空調機器（エアコン）８１、リビングダイニングに空気質関連機器８０である加湿器８２が配置されている。たとえば、空調機器８１は、通常この建物ＨＳに暮らす人（使用者）が望ましい温度を設定できるようになっている。また、同様に、加湿器８２は、通常使用者が望ましい湿度を設定できるようになっている。
【００５６】
換気システム１００Ａは、建物ＨＳの屋内に設置され屋内の空気質条件を設定可能な空気質関連機器８０と同屋内に設置されるレンジフード１０を含み、屋内の空気質を空気質関連機器８０に設定された使用者にとって望ましい空気質条件に近づけるようにレンジフード１０を機能させるものである。換気システム１００Ａにおけるレンジフード１０は、通常のレンジフードとしての機能を有すると共に、この通常の機能に加えて以下に述べるように、空気質関連機器８０に設定された使用者にとって望ましい空気質条件に屋内の空気質を近づけるために機能する。
【００５７】
換気システム１００Ａは、一般住宅に設置される排気ファンの中では最大の排気風量を有するレンジフード１０の新しい利用方法を提案するものである。大排気風量の能力を有するレンジフード１０が空気を屋外へ排出するとき屋内は負圧となるため、建物ＨＳの開口部から外気が屋内に取り入れられる。そうすると、屋外の空気が屋内の空気と入れ替わり混入することにより屋内の空気質は徐々に屋外の空気質に近づくことになる。
【００５８】
一方、屋内の空気質条件（たとえば室温）を設定可能なエアコン８１には、使用者が望ましい空気質（たとえば室温）が設定されているものと考えられる。たとえば、エアコン８１の設定温度は、夏に屋外の温度が３０℃を超えるような場合に、屋内を快適な温度にすると共に冷え過ぎ防止や省エネルギーの観点から２８℃に設定し、外気より室温を下げつつも設定温度になったら冷房運転を停止し、使用者にとって快適な温度を維持するように機能する。
【００５９】
換気システム１００Ａは、屋外の空気を屋内に取り入れると望ましい設定温度に近づく場合にエアコン８１などの空気質関連機器８０を機能させる前にレンジフード１０を機能させる（事前換気する）。これにより、換気システム１００Ａは、事前に外気を屋内に取り入れることで屋内の空気質を空気質関連機器８０に設定された空気質に近づけ、空気質関連機器８０の機能を補助してキッチン以外の居住空間も含めた屋内の空気質の改善を図るためのレンジフード１０を含む換気システムである。
【００６０】
図８に示すように、換気システム１００Ａは、建物ＨＳの屋内に設置されるレンジフード１０と、同じ屋内に設置され、屋内の空気質条件を設定可能な空気質関連機器８０と、レンジフード１０と空気質関連機器８０の運転を制御するコントローラ２０Ａ（制御部２０Ａ）と、屋内の空気質を検知する屋内検知部３０と、屋外の空気質情報を取得する情報取得部４０と、を備える。空気質関連機器８０は、空気質条件設定可能な、エアコン８１、加湿器８２、除湿器８３、暖房機８４（たとえば石油ファンヒーター）などを含む。これらの空気質関連機器８０は、コントローラ２０Ａから運転に関する制御を受けるための機能を備え、この制御に関する信号を受信するための通信機能を有する。なお、本図には、空気質条件を設定可能ではない空気質関連機器８０’も示されているが、空気質関連機器８０’については後述する。
【００６１】
コントローラ２０Ａは、屋内検知部３０および情報取得部４０が得た空気質情報に基づきレンジフード１０の運転を制御する。コントローラ２０Ａは、建物ＨＳに暮らす人（使用者）にとって望ましい空気質を設定し、また設定したその空気質を読み出す条件設定部２５Ａと、屋内検知部３０が検知した空気質における屋内空気質状態と情報取得部４０が取得した空気質情報における屋外空気質状態を検出処理する検出処理部２９と、検出処理部２９が検出した屋内空気質状態と屋外空気質状態を比較する比較判定部２４と、レンジフード１０のＲＨ制御部１１と通信し運転を制御し、また空気質関連機器８０と通信し運転を制御するＲＨ／関連機器制御処理部２８Ａと、使用者の評価を受けるための画面を出力する出力部２７と、出力部２７が出力した画面から評価を受け付ける評価入力部２１と、受け付けた評価に基づき学習する学習部２２と、コンロＢＮでの調理の状態を判定する調理判定部２６と、を備える。
【００６２】
図９を参照し、換気システム１００Ａにおけるコントローラ２０Ａの処理フローについて説明する。コントローラ２０Ａは、Ｓ４００において、空気質関連機器８０が運転を開始するための作動信号を待っている。空気質関連機器８０が運転を開始するための作動信号は、空気質関連機器８０に対して使用者が操作を行うことで空気質関連機器８０の制御部や通信部（図示せず）と通信部２３を介してＲＨ／関連機器制御処理部２８Ａが受信してもよいし、逆に、使用者がコントローラ２０Ａに対して操作を行ったり外部からの指令信号を受けたりすることでＲＨ／関連機器制御処理部２８Ａから通信部２３を介して対象となる空気質関連機器８０に伝達されてもよい。
【００６３】
当該作動信号がコントローラ２０Ａに伝えられると、検出処理部２９は、Ｓ４０２において、屋内検知部３０が検知した空気質における屋内空気質状態を通信部２３を介して取得し、また、情報取得部４０（屋外検知部４０またはインターネットから空気質情報を得る通信部２３）が取得した空気質情報における屋外空気質状態を通信部２３を介して取得する検出処理を行う。
【００６４】
屋内空気質状態と屋外空気質状態を検出すると、条件設定部２５Ａは、Ｓ４０４において、通信部２３を介して空気質関連機器８０に予め設定されている望ましい空気質の条件を読み出す。屋内空気質状態、屋外空気質状態と所定の空気質条件を取得すると、コントローラ２０Ａの比較判定部２４は、Ｓ２００において、屋内空気質状態と屋外空気質状態を比較する。
【００６５】
図４と図１０、図１１も参照し、比較判定部２４とＲＨ／関連機器制御処理部２８Ａの処理フローをより具体的に説明する。比較判定部２４は、Ｓ２０２において、上記Ｓ４０２で取得した屋内空気質と屋外空気質の状態から、比較対象となる屋内ＡＱ値と屋外ＡＱ値を取り出す。また、比較判定部２４は、Ｓ２０４において、上記Ｓ４０４で条件設定部２５Ａが取得した空気質関連機器８０に設定されている望ましい空気質条件から設定ＡＱ値を取り出す。ここでは、屋内ＡＱ値、屋外ＡＱ値、設定ＡＱ値をそれぞれ屋内温度、屋外温度、設定された望ましい温度を例として以下説明する。
【００６６】
比較判定部２４は、Ｓ２０６において、設定ＡＱ値である設定温度が、屋内ＡＱ値である屋内温度と屋外ＡＱ値である屋外温度の間にあるか否か検査する。設定温度が屋内温度と屋外温度の間にある場合、コントローラ２０ＡのＲＨ／関連機器制御処理部２８Ａは、Ｓ４０６において、空気質関連機器８０の始動を制御する前に、屋内温度を設定温度に近づけるようにレンジフード１０の運転を制御する。図１０は、レンジフード１０による事前換気処理のパターンの内、設定温度が屋内温度と屋外温度の間にある場合を示している。
【００６７】
たとえば、図１０（Ａ）に示すように、屋外温度が５℃、屋内温度が２５℃、設定温度が２１℃である場合、ＲＨ／関連機器制御処理部２８Ａは、温度の高い屋内の空気を排気し、温度の低い屋外の空気を給気口７０などから吸入することで、屋内の温度は徐々に屋外の温度に近づくことになる。ＲＨ／関連機器制御処理部２８Ａは、このような場合にはレンジフード１０を最も大きい風量で運転することが好ましい。
【００６８】
屋外温度が５℃、屋内温度が２５℃、設定温度が２１℃という状況は、冬に室内温度を温めすぎた場合に起こる。このような場合に、大きな排気風量を有するレンジフード１０により、屋内の熱気のある空気を排出し、屋外のひんやりした空気を取り入れることで、室内温度を２５℃から設定温度の２１℃に徐々に近づけることができる。そして、ＲＨ／関連機器制御処理部２８Ａは、設定温度に近づいた時、それ以上室温を下げないためにレンジフード１０の運転を停止し、設定温度を維持するために空気質関連機器８０の暖房運転の始動を制御する。なお、設定温度に近づいた時とは、人間の体感に関する制御なので厳密なものでなくともよく、±１℃程度の範囲に収まることでよい。
【００６９】
また、図１０（Ｂ）に示すように、屋外温度が２２℃、屋内温度が１５℃、設定温度が２１℃である場合、ＲＨ／関連機器制御処理部２８Ａは、温度の低い屋内の空気を排気し、温度の高い屋外の空気を給気口７０などから吸入することで、屋内の温度は徐々に屋外の温度に近づくことになる。屋外温度が２２℃、屋内温度が１５℃、設定温度が２１℃という状況は、春先の昼によく起こる。このような場合に、大きな排気風量を有するレンジフード１０により、屋内の冷えた空気を排出し、屋外の比較的暖かい空気を取り入れることで、室内温度を１５℃から設定温度の２１℃に徐々に近づけることができる。そして、ＲＨ／関連機器制御処理部２８Ａは、設定温度に近づいた時、それ以上室温を上げないためにレンジフード１０の運転を停止し、設定温度を維持するために空気質関連機器８０の始動を制御する。
【００７０】
上記はエアコン８１が暖房運転の場合に起こり得る制御であるが、以下のように冷房運転の場合も起こり得る。たとえば、図１０（Ｃ）に示すように、屋外温度が２５℃、屋内温度が３５℃、設定温度が２７℃という状況は、真夏の夜によく起こる。このような場合に、大きな排気風量を有するレンジフード１０により、屋内の熱気のある空気を排出し、屋外の比較的ひんやりした空気を取り入れることで、室内温度を３５℃から設定温度の２７℃に徐々に近づけることができる。そして、ＲＨ／関連機器制御処理部２８Ａは、設定温度に近づいた時、それ以上室温を下げないためにレンジフード１０の運転を停止し、設定温度を維持するために空気質関連機器８０の冷房運転の始動を制御する。
【００７１】
また、図１０（Ｄ）に示すように、屋外温度が３５℃、屋内温度が２５℃、設定温度が２７℃である場合、ＲＨ／関連機器制御処理部２８Ａは、温度の低い屋内の空気を排気し、温度の高い屋外の空気を給気口７０などから吸入することで、屋内の温度は徐々に屋外の温度に近づくことになる。屋外温度が３５℃、屋内温度が２５℃、設定温度が２７℃という状況は、夏に冷房で冷やし過ぎた場合に起こり得る。このような場合に、大きな排気風量を有するレンジフード１０により、屋内の冷えた空気を排出し、屋外の暖かい空気を取り入れることで、室内温度を２５℃から設定温度の２７℃に徐々に近づけることができる。そして、ＲＨ／関連機器制御処理部２８Ａは、設定温度に近づいた時、それ以上室温を上げないためにレンジフード１０の運転を停止し、設定温度を維持するために空気質関連機器８０の冷房運転の始動を制御する。
【００７２】
比較判定部２４は、Ｓ２０６で設定温度が屋内温度と屋外温度の間にあるか否か検査し設定温度が屋内温度と屋外温度の間にない場合、Ｓ２０８において、屋外温度が屋内温度と設定温度の間にあるか否か検査する。屋外温度が屋内温度と設定温度の間にある場合、ＲＨ／関連機器制御処理部２８Ａは、Ｓ４０６において、屋内温度を設定温度に近づけるようにレンジフード１０の運転を制御する。図１１は、レンジフード１０による事前換気処理のパターンの内、設定温度が屋内温度と屋外温度の間にない場合を示している。たとえば、図１１（Ａ）に示すように、屋外温度が２７℃、屋内温度が３０℃、設定温度が２４℃である場合、ＲＨ／関連機器制御処理部２８Ａは、温度の高い屋内の空気を排気し、温度の低い屋外の空気を取り入れることで、設定温度の方へ、室内温度を３０℃から屋外温度の２７℃に徐々に近づけることができる。
【００７３】
また、図１１（Ｂ）に示すように、屋外温度が２７℃、屋内温度が２４℃、設定温度が３０℃である場合、ＲＨ／関連機器制御処理部２８Ａは、温度の低い屋内の空気を排気し、温度の高い屋外の空気を取り入れることで、設定温度の方へ、室内温度を２４℃から屋外温度の２７℃に徐々に近づけることができる。また、図１１（Ｃ）に示すように、屋外温度が２７℃、屋内温度が３５℃、設定温度が２５℃である場合、ＲＨ／関連機器制御処理部２８Ａは、温度の高い屋内の空気を排気し、温度の低い屋外の空気を取り入れることで、設定温度の方へ、室内温度を２４℃から屋外温度の２７℃に徐々に近づけることができる。また、図１１（Ｄ）に示すように、屋外温度が２７℃、屋内温度が２５℃、設定温度が２８℃である場合、ＲＨ／関連機器制御処理部２８Ａは、温度の低い屋内の空気を排気し、温度の高い屋外の空気を取り入れることで、設定温度の方へ、室内温度を２５℃から屋外温度の２７℃に徐々に近づけることができる。
【００７４】
このように、空気質関連機器８０の始動を制御する際、屋内温度（屋内空気質状態）と屋外温度（屋外空気質状態）とを比較し、望ましい空気質として空気質関連機器８０に設定された設定温度（空気質条件）に近づけるようにレンジフードの事前換気を行うことで、使用者にとって望ましい空気質に近づけて屋内の空気質の改善を図る換気システム１００Ａを提供することができる。また、通常、レンジフード１０の使用電力量は、エアコン８１などの空気質関連機器８０の使用電力量より小さいため、省エネルギーの観点からも好ましい。
【００７５】
なお、コントローラ２０Ａは、調理判定部２６がコンロＢＮで調理がなされていないと判定する場合にのみ、すなわちレンジフード１０が調理運転状態にない場合にのみ空気質関連機器８０に設定された空気質条件に近づけるようにレンジフード１０の運転を制御することとしてもよい。このように、レンジフード１０が運転状態にない場合にのみ上記したような空気質改善を行うことで、調理から発生する油煙等を適格に捕集するというレンジフード本来の機能を果たすことができる。
【００７６】
ＲＨ／関連機器制御処理部２８Ａは、屋外温度に近づいた時これ以上同様の運転を継続しても設定温度には近づかないので、レンジフード１０の事前換気運転を停止する。また、ＲＨ／関連機器制御処理部２８Ａは、レンジフード１０の事前換気運転を停止すると共に、設定温度を維持するために空気質関連機器８０の始動を制御してもよい。すなわち、ＲＨ／関連機器制御処理部２８Ａは、空気質関連機器８０に設定された設定温度（空気質条件）に近づけるようにレンジフード１０の事前換気を行った後、Ｓ５００において、レンジフード１０の事前換気を終了させる。図１０と図１１で示した事前換気処理のパターンにおいて説明したように、事前換気を終了する場合として、屋内空気質が空気質条件に十分近づいた時に事前換気を終了する場合と、屋内空気質が屋外空気質に近づきこれ以上事前換気運転を継続しても設定温度には近づかないために事前換気を終了する場合の２つの場合がある。この事前換気終了処理について、図１２を参照して説明する。
【００７７】
比較判定部２４は、Ｓ５０２において、上記Ｓ４０２で取得した屋内空気質と屋外空気質の状態から、比較対象となる屋内ＡＱ値と屋外ＡＱ値を取り出す。また、比較判定部２４は、Ｓ５０４において、上記Ｓ４０４で条件設定部２５Ａが取得した空気質関連機器８０に設定されている望ましい空気質条件から設定ＡＱ値を取り出す。ここでは、上記と同様、屋内ＡＱ値、屋外ＡＱ値、設定ＡＱ値をそれぞれ屋内温度、屋外温度、設定された望ましい温度を例として以下説明する。
【００７８】
比較判定部２４は、Ｓ５０６において、設定ＡＱ値である設定温度が、屋内ＡＱ値である屋内温度と屋外ＡＱ値である屋外温度の間にあるか否か検査する。設定温度が屋内温度と屋外温度の間にある場合（図１０に示すケースの場合）、ＲＨ／関連機器制御処理部２８Ａは、Ｓ５０８において、屋内温度と設定温度の差が所定の範囲内か否かを検査する。ここで、所定の範囲とは、屋内温度（屋内空気質）が設定温度（空気質条件）に十分近づいたと言える範囲であり、たとえば、人間の体感に関する制御なので厳密な範囲ではなく、±１℃程度の範囲に収まることでよい。屋内温度と設定温度の差が所定の範囲にあるならば、すなわち屋内の温度（空気質）が空気質関連機器８０に設定された設定温度（空気質条件）に近づいた時に、ＲＨ／関連機器制御処理部２８Ａは、Ｓ５１０において、レンジフード１０で行った事前換気の処理を終了する。
【００７９】
また、Ｓ５０６で設定温度が屋内温度と屋外温度の間にない場合（図１１に示すケースの場合）、ＲＨ／関連機器制御処理部２８Ａは、Ｓ５１２において、屋内温度と屋外温度の差が所定の範囲内か否かを検査する。屋内温度と屋外温度の差が所定の範囲にあるならば、すなわち屋内の温度（空気質状態）が屋外の温度（空気質状態）に近づいた時に、ＲＨ／関連機器制御処理部２８Ａは、Ｓ５１０において、レンジフード１０で行った事前換気の処理を終了する。Ｓ５０８で屋内温度と設定温度の差が所定の範囲内にない場合、または、Ｓ５１２で屋内温度と屋外温度の差が所定の範囲内にない場合、ＲＨ／関連機器制御処理部２８Ａは、レンジフード１０の事前換気処理を終了しないで、継続する。
【００８０】
このように、コントローラ２０Ａは、望ましい空気質として空気質関連機器８０に設定された空気質条件における空気質状態が、屋内空気質状態と屋外空気質状態の間にある場合、屋内の空気質が空気質関連機器８０に設定された空気質条件に近づいた時に事前換気を終了し、空気質関連機器８０に設定された空気質条件における空気質状態が、屋内空気質状態と屋外空気質状態の間にない場合、屋内の空気質が屋外空気質状態に近づいた時に事前換気を終了する。これによれば、使用者にとって望ましい空気質に近づけて屋内の空気質の改善を図ると共に、エネルギー効率の良い空気質の改善を行うことができる。
【００８１】
上述したように、空気質関連機器８０が空調機器（エアコン）８１である場合、屋内検知部３０は屋内の空気質として屋内の温度を検知し、情報取得部４０は屋外の空気質情報として屋外の温度を取得し、空調機器８１に設定された空気質条件は設定温度である。そして、コントローラ２０Ａは、空調機器８１に設定された設定温度が、屋内の温度と屋外の温度の間にある場合、屋内の温度が空調機器８１に設定された設定温度に近づいた時に事前換気を終了し、空調機器８１に設定された設定温度が、屋内の温度と屋外の温度の間にない場合、屋内の温度が屋外の温度に近づいた時に事前換気を終了する。これによれば、レンジフード１０と空調機器８１が連動し、空調機器８１の始動を制御する際空調機器８１の設定温度に近づけるようにレンジフード１０の事前換気を行い、設定温度が屋内の温度と屋外の温度の間にある場合は屋内温度が設定温度に近づいた時に事前換気を終了し、屋内温度と屋外温度の間にない場合は屋内温度が屋外温度に近づいた時に事前換気を終了することで、使用者にとって望ましい屋内温度に近づけて室温の改善を図ると共に、エネルギー効率の良い空気調節を行うことができる。
【００８２】
また、空気質関連機器８０が加湿器８２または除湿器８３であり、屋内検知部３０は屋内の空気質として屋内の湿度を検知し、情報取得部４０は屋外の空気質情報として屋外の湿度を取得し、加湿器８２または除湿器８３に設定された空気質条件は設定湿度である。そして、コントローラ２０Ａは、加湿器８２または除湿器８３に設定された設定湿度が、屋内の湿度と屋外の湿度の間にある場合、屋内の湿度が加湿器８２または除湿器８３に設定された設定湿度に近づいた時に事前換気処理を終了し、加湿器８２または除湿器８３に設定された設定湿度が、屋内の湿度と屋外の湿度の間にない場合、屋内の湿度が屋外の湿度に近づいた時に事前換気処理を終了する。これによれば、レンジフード１０と加湿器８２または除湿器８３が連動し、加湿器８２または除湿器８３の始動を制御する際加湿器８２または除湿器８３の設定湿度に近づけるようにレンジフード１０の事前換気を行い、設定湿度が屋内の湿度と屋外の湿度の間にある場合は屋内湿度が設定湿度に近づいた時に事前換気処理を終了し、屋内湿度と屋外湿度の間にない場合は屋内湿度が屋外湿度に近づいた時に事前換気処理を終了することで、使用者にとって望ましい屋内湿度に近づけて屋内の湿度の改善を図ると共に、エネルギー効率の良い加湿または除湿を行うことができる。
【００８３】
また、空気質関連機器８０が温度設定可能な暖房機８４（たとえば石油ファンヒーター、図示せず）であり、屋内検知部３０は屋内の空気質として屋内の温度を検知し、情報取得部４０は屋外の空気質情報として屋外の温度を取得し、暖房機８４に設定された空気質条件は設定温度である。コントローラ２０Ａは、暖房機８４に設定された設定温度が、屋内の温度と屋外の温度の間にある場合、屋内の温度が暖房機８４に設定された設定温度に近づいた時に事前換気処理を終了し、暖房機８４に設定された設定温度が、屋内の温度と屋外の温度の間にない場合、屋内の温度が屋外の温度に近づいた時に事前換気処理を終了する。これによれば、レンジフード１０と暖房機８４が連動し、暖房機８４の始動を制御する際暖房機８４の設定温度に近づけるようにレンジフードの事前換気を行い、設定温度が屋内の温度と屋外の温度の間にある場合は屋内温度が設定温度に近づいた時に事前換気を終了し、屋内温度と屋外温度の間にない場合は屋内温度が屋外温度に近づいた時に事前換気を終了することで、使用者にとって望ましい屋内温度に近づけて室温の改善を図ると共に、エネルギー効率の良い空気調節を行うことができる。
【００８４】
なお、出力部２７、評価入力部２１、学習部２２の説明は本実施例では省略するが、本実施例においても機能させてもよい。その場合、学習部２２は、条件設定部２５Ａを介して、それぞれの空気質関連機器８０に設定された空気質条件を取得すると共に、学習によりより良い空気質条件が得られた場合には、そのより良い空気質条件をそれぞれの空気質関連機器８０に設定し直してもよい。
【００８５】
＜第二実施例の変形例＞
上記では空気質条件を設定可能な空気質関連機器８０とレンジフード１０との連携について説明したが、換気システム１００Ａは、図８に示す空気質条件を設定可能ではない空気質関連機器８０’との連携も可能である。空気質条件を設定可能ではない空気質関連機器８０’とは、たとえば床暖房８５や空気清浄機８６である。これらの空気質関連機器８０’は、自分が目標とする空気質条件を有さないが、空気質に影響を与えるものである。たとえば、床暖房８５は、自ら屋内の温度を何度にするという設定温度を有さないが、屋内の温度（屋内空気質）を上げるように機能する。また、空気清浄機８６は、自ら屋内の塵埃やにおい物質をどの程度にするのかという設定濃度などを有さないが、屋内の所定の物質の濃度を少なくするように機能する。
【００８６】
換気システム１００Ａは、このような屋内に設置される空気質関連機器８０’と、同じ屋内に設置されるレンジフード１０と、屋内の空気質を検知する屋内検知部３０と、屋外の空気質情報を取得する情報取得部４０と、レンジフード１０と空気質関連機器８０’の運転を制御するコントローラ２０Ａ（制御部）とを備える。コントローラ２０Ａの比較判定部２４は、空気質関連機器８０’に設定される空気質条件はないが、空気質関連機器８０’の始動を制御する際、屋内検知部３０が検知した空気質における屋内空気質状態と情報取得部４０が取得した空気質情報における屋外空気質状態とを比較する。そして、ＲＨ／関連機器制御処理部２８Ａは、上述したように、屋内の空気質を所定の空気質条件に近づけるようにレンジフード１０の事前換気を行ってもよい。これによれば、空気質関連機器８０’の始動を制御する際屋内空気質状態と屋外空気質状態とを比較し、屋内の空気質を所定の空気質条件に近づけるようにレンジフード１０の事前換気を行うようにすることで、エネルギー効率の良い屋内の空気質の改善を図る換気システム１００Ａを提供することができる。
【００８７】
空気質関連機器８０’が空気清浄機８６である場合、屋内検知部３０は屋内の空気質として屋内の埃または臭いを検知し、情報取得部４０は屋外の空気質情報として屋外の埃または臭いの情報を取得する。コントローラ２０Ａは、屋内検知部３０が検知した屋内の埃または臭いの濃度と情報取得部４０が取得した空気質情報における埃または臭いの濃度とを比較し、所定の埃または臭いの濃度に近づけるようにレンジフード１０の事前換気を行う。このように、レンジフード１０と空気清浄機８６が連動し、空気清浄機８６の始動を制御する際屋内の埃または臭いの濃度と屋外の埃または臭いの濃度とを比較し、屋外の埃などの濃度の方が望ましい所定の埃などの濃度に近づけた方がよい場合には、所定の埃または臭いの濃度に近づけるようにレンジフード１０の事前換気を行うことで、エネルギー効率の良い屋内の埃または臭いの濃度を改善することができる。
【００８８】
また、空気質関連機器８０’が温度設定可能ではない暖房機（たとえば床暖房８５）である場合、屋内検知部３０は屋内の空気質として屋内の温度を検知し、情報取得部４０は屋外の空気質情報として屋外の温度の情報を取得する。コントローラ２０Ａは、屋内検知部３０が検知した屋内の温度と情報取得部４０が取得した空気質情報における屋外の温度とを比較し、所定の温度に近づけるようにレンジフード１０の事前換気を行う。このように、レンジフード１０と温度設定可能ではない暖房機が連動し、当該暖房機の始動を制御する際屋内の温度と屋外の温度を比較し、屋外温度の方が望ましい所定の温度に近づけた方がよい場合には、屋内の温度を所定の温度に近づけるようにレンジフード１０の事前換気を行うことで、エネルギー効率の良い屋内の温度を改善することができる。
【００８９】
なお、本実施例における各空気質関連機器８０／８０’とレンジフード１０との作動タイミングは、レンジフード１０が先でも、レンジフード１０と各空気質関連機器８０／８０’が同時であってもよい。なお、レンジフード１０を先に作動させた後に空気質関連機器８０／８０’を作動させると、エネルギー効率が高くなる。一方、両者を同時に作動させるとレンジフード１０のみを先に作動させるより設定条件により早く近づく。
【００９０】
＜レンジフードの設置位置による換気効果について＞
レンジフード１０は、調理油煙を排出することが主たる製品目的であるため設置位置はキッチンである。キッチンには調理廃棄物、生ごみ等、臭気発生源となるものが置かれることが多いが、熱籠りが発生する高温多湿環境ではこれらの廃棄物から臭いが発生し宅内の空気質を汚染してしまうことがある。換気システム１００は、キッチンに設置されるレンジフード１０を上記実施例のように利用することにより、臭気拡散を防ぐことができる。このように居室全体の空気質改善に先だって臭気拡散を防ぐことができるので、たとえば、夏の夜に帰宅するような場合に部屋が臭く暑いといった状態になることを防止することができる。
【００９１】
また、レンジフード１０は、フードの張り出し方向（レンジフード１０の操作ボタンなどが設けられる、使用者にとっての手前方向）の空気排気の量が他方向の空気排気の量よりも多くなるように設計されている。すなわち、レンジフード１０を作動させると張り出し方向の空気質は急速に改善される。臭い発生物は、他方向（リビング側）よりも張り出し方向（キッチン側）に置かれることが多いため、レンジフード１０は他の空調機器、たとえば、エアコン、空気清浄機等に比してより効率的に空気質（臭気）改善を行うことができる。
【００９２】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、その他の詳細な構成において、当業者が様々な変形を加えることができるものである。
【符号の説明】
【００９３】
１００    換気システム
１０      レンジフード
１１      ＲＨ制御部
１２      ＲＨ通信部
２０      制御部
２１      入力部（評価入力部）
２２      学習部
２３      通信部
２４      比較判定部
２５      条件設定部
２６      調理判定部
２７      出力部
３０      検知部
３１      温湿度センサ
３２      埃センサ
３３      臭気センサ
４０      情報取得部（屋外検知部）
７０      給気口（換気レジスタ）
８０      空気質関連機器
８１      空調機器（エアコン）
８２      加湿器
８３      除湿器
８４      温度設定可能な暖房機
８５      温度設定可能ではない暖房機
８６      空気清浄機
ＨＳ      建物
ＢＮ      コンロ
ＴＢ      食卓
ＴＶ      テレビセット
ＷＮ      窓
【図１】
2020118420.tif 000003
【図２】
2020118420.tif 000004
【図３】
2020118420.tif 000005
【図４】
2020118420.tif 000006
【図５】
2020118420.tif 000007
【図６】
2020118420.tif 000008
【図７】
2020118420.tif 000009
【図８】
2020118420.tif 000010
【図９】
2020118420.tif 000011
【図１０】
2020118420.tif 000012
【図１１】
2020118420.tif 000013
【図１２】
2020118420.tif 000014
【図１３】
2020118420.tif 000015
【図１４】
2020118420.tif 000016